(57)【要約】【課題】メールに添付した画像に対し悪意の第３者が内容を改ざんすることを防止する。【解決手段】送信元の端末102-1からメールに画像を添付して送信する場合に画像にセキュリティーを設定する画像セキュリティー設定部201と、送信元の端末からメールサーバー101でメールを受信した場合に画像に対するセキュリティーを保存する画像セキュリティー保存部301と、セキュリティーが保存されている場合送信先の端末102-3に画像を送信すると判断し、セキュリティーが保存されていない場合送信先の端末102-4に画像を送信しないと判断し、画像を送信すると判断した場合に送信する画像と共にセキュリティーをメールサーバーから送信先の端末102-3に送信させるための画像情報送信判断部302と、送信先の端末102-3ではメールサーバーから送信された画像に対するセキュリティーに応じて画像の展開の許可を行う画像展開許可部202とを備える。【選択図】図１
2007272483.tif 000002
【特許請求の範囲】
【請求項１】
メールに添付して送信した画像の展開を制限するメール添付画像セキュリティーシステムにおいて、
送信元の端末からメールに画像を添付して送信する場合に画像にセキュリティーを設定する画像セキュリティー設定部と、
前記送信元の端末からメールサーバーでメールを受信した場合に前記画像セキュリティー設定部で設定された画像に対するセキュリティーを保存する画像セキュリティー保存部と、
前記画像セキュリティー保存部にセキュリティーが保存されているメールに対して送信先の端末に画像を送信すると判断し、前記画像セキュリティー保存部にセキュリティーが保存されていないメールに対して送信先の端末に画像を送信しないと判断し、画像を送信すると判断した場合には送信する画像と共にセキュリティーを前記メールサーバーから送信先の端末に送信させるための画像情報送信判断部と、
送信先の端末では前記メールサーバーから送信された画像に対するセキュリティーに応じて画像の展開の許可を行う画像展開許可部とを備えることを特徴とするメール添付画像セキュリティーシステム。
【請求項２】
前記画像セキュリティー設定部は、セキュリティーとして画像を閲覧する閲覧権、画像を保存する保存権、画像を他の端末に転送する転送権、画像を編集する編集権を設定することを特徴とする、請求項１に記載のメール添付画像セキュリティーシステム。
【請求項３】
前記画像セキュリティー設定部は、セキュリティーとして閲覧権、保存権、転送権、編集権を独立に設定し、さらに、閲覧権、保存権；閲覧権、転送権；閲覧権、編集権；保存権、転送権；保存権、編集権；転送権、編集権；閲覧権、保存権、転送権；閲覧権、転送権、編集権；閲覧権、保存権、編集権；保存権、転送権、編集権のように組み合わせて設定することを特徴とする、請求項２に記載のメール添付画像セキュリティーシステム。
【請求項４】
前記画像情報送信判断部は、前記画像セキュリティー保存部にセキュリティーが保存されていないメールに対して送信先の端末に画像を送信しないと判断した場合には、送信元の端末に画像情報送信不可通知を送信することを特徴とする、請求項１に記載のメール添付画像セキュリティーシステム。
【請求項５】
前記画像情報送信判断部は、送信元の端末に画像情報送信不可通知の送信時にセキュリティーの設定を行うようにメッセージを送信することを特徴とする、請求項１に記載のメール添付画像セキュリティーシステム。
【請求項６】
前記画像セキュリティー設定部は、前記画像の他にメールの本文に対してもセキュリティーを設定することを特徴とする、請求項１に記載のメール添付画像セキュリティーシステム。
【請求項７】
メールに添付して送信した画像の展開を制限するメール添付画像セキュリティー方法において、
送信元の端末からメールに画像を添付して送信する場合に画像にセキュリティーを設定する工程と、
前記送信元の端末からメールサーバーでメールを受信した場合に設定された画像に対するセキュリティーを保存する工程と、
セキュリティーが保存されているメールに対して送信先の端末に画像を送信すると判断し、セキュリティーが保存されていないメールに対して送信先の端末に画像を送信しないと判断する工程と、
画像を送信すると判断した場合には送信する画像と共にセキュリティーを前記メールサーバーから送信先の端末に送信する工程と、
送信先の端末では前記メールサーバーから送信された画像に対するセキュリティーに応じて画像の展開の許可を行う工程とを備えることを特徴とするメール添付画像セキュリティー方法。
【請求項８】
メールに添付して送信した画像の展開を制限するメール添付画像セキュリティーをコンピュータで実行するプログラムにおいて、
送信元の端末からメールに画像を添付して送信する場合に画像にセキュリティーを設定する手順と、
前記送信元の端末からメールサーバーでメールを受信した場合に設定された画像に対するセキュリティーを保存する手順と、
セキュリティーが保存されているメールに対して送信先の端末に画像を送信すると判断し、セキュリティーが保存されていないメールに対して送信先の端末に画像を送信しないと判断する手順と、
画像を送信すると判断した場合には送信する画像と共にセキュリティーを前記メールサーバーから送信先の端末に送信する手順と、
送信先の端末では前記メールサーバーから送信された画像に対するセキュリティーに応じて画像の展開の許可を行う手順とを備えることを特徴とするメール添付画像セキュリティーをコンピュータで実行するプログラム。
【請求項９】
メールに添付して送信した画像の展開を制限する端末において、
送信元の端末からメールに画像を添付して送信する場合に画像にセキュリティーを設定する画像セキュリティー設定部と、
送信先の端末からメールサーバーでメールを受信した場合に送信先の端末の前記画像セキュリティー設定部で設定された画像に対するセキュリティーを保存し、セキュリティーが保存されているメールに対して送信先の端末に画像を送信すると判断し、セキュリティーが保存されていないメールに対して送信先の端末に画像を送信しないと判断し、画像を送信すると判断した場合には送信する画像と共にセキュリティーを前記メールサーバーから送信先の端末に送信した場合、送信先の端末では前記メールサーバーから送信された画像に対するセキュリティーに応じて画像の展開の許可を行う画像展開許可部とを備えることを特徴とする端末。
【請求項１０】
メールに添付して送信した画像の展開を制限するメールサーバーにおいて、
送信元の端末から画像を添付したメールと共に画像に設定されたセキュリティーを受信した場合に画像を添付したメールと共に画像に設定されたセキュリティーを保存する画像セキュリティー保存部と、
前記画像セキュリティー保存部にセキュリティーが保存されているメールに対して送信先の端末に画像を送信すると判断し、前記画像セキュリティー保存部にセキュリティーが保存されていないメールに対して送信先の端末に画像を送信しないと判断し、画像を送信すると判断した場合には送信する画像と共にセキュリティーを送信先の端末に送信させ、送信先の端末では送信された画像に対するセキュリティーに応じて画像の展開の許可を行わせる画像情報送信判断部とを備えることを特徴とするメールサーバー。
【発明の詳細な説明】
【技術分野】
【０００１】
本発明はメール送信システムに関する。特に、本発明は、メールに添付した画像のセキュリティーを行うメール添付画像セキュリティーシステム、方法、プログラム、端末及びメールサーバーに関する。
【背景技術】
【０００２】
携帯電話のメールの送信では著作権がある画像の不正使用に対しては著作権法によるセキュリティーが働くことが周知である。
しかしながら、携帯電話のユーザーが撮影した画像をメールに添付して送信した場合には、メールに添付した画像に対しては著作権のセキュリティーは働かず、悪意の第３者が内容を改ざんし、メールを展開することで誤情報が流れるという問題がある。
【０００３】
このような携帯電話のメールの送信、データのセキュリティーに対して以下のような従来技術がある。
従来、携帯通信端末装置の通信方法に関する規格の相違や携帯通信端末装置の電話会社のサービス圏に拘泥せずに、携帯通信端末装置に送受信された画像情報を含む電子メールの前記画像情報と、携帯通信端末装置に送信された通話および／または電子メールの着信情報の取得と管理を簡単且つ確実に行うことができる携帯通信端末装置の通信データの管理方法と、これらの携帯通信端末装置の通信データの管理方法を実行するために必要な各
種装置や記録媒体を提供するため、携帯通信端末装置から送信される電子メールの文字情報に添付され、あるいは、前記文字情報とリンクされた画像情報を前記電子メールから取得し、インターネット上のデータベース装置に格納して、前記電子メールの送受信者を含むアクセス権限者が前記画像情報にアクセス可能に管理するものがある（例えば、特許文献１参照）。
【０００４】
しかしながら、上記特許文献１では、電子メールの送受信者を含むアクセス権限者が画像情報にアクセス可能に管理するが、メールに添付した画像に対して悪意の第３者が内容を改ざんし、メールを展開することで誤情報が流れることを防止するものではない。
また、従来、生体認証処理に失敗した場合に、２段階の確度を設け、低い確度未満の場合は、再度生体認証を行い、それ以上で、高い確度未満の場合は、ほぼ生体認証成功ということで、他の登録属性データの確認を行うことで、より顧客にとって簡便で、かつ高いセキュリティを同時に保持する顧客認証処理を行うことを目的とし、認証を行う工程において、抽出された特微量に対して、第一の確度に満たない場合には、顧客ＩＤとパスワードの認証までの成立を保持したまま、再度指紋画像データを受信する工程に戻る第一の再認証工程と、認証を行う工程において、抽出された特微量に対して、前記第一の確度より高く、第二の確度に満たない場合には、顧客属性を表すデータのうち、任意の、少なくと
も１つのデータに関する情報を入力することを要求する、第二の再認証工程とを構成要素として具備するものもある（例えば、特許文献２参照）。
【０００５】
しかしながら、上記特許文献２では、高いセキュリティを保持する顧客認証処理を行うが、前述のようにメールに添付した画像に対して悪意の第３者が内容を改ざんし、メールを展開することで誤情報が流れることを防止するものではない。
また、従来、着信側移動端末装置へ提供する発信者のプロファイルデータに、発信者が閲覧または音声データのダウンロードの許可または不許可を設定し、また、リングバックトーンの代わりに任意の音声データを出力するため、無線によりデータの送受信を行なう送受信部と、画像情報または文字情報の少なくとも一つを表示可能な表示部と、使用者のプロファイルデータおよび前記使用者の通信相手先のデータを格納するデータ格納部と、前記使用者のプロファイルデータの閲覧許可または不許可を前記通信相手先のデータ毎に設定する設定部と、を備え、前記送受信部は、前記使用者のプロファイルデータおよび前記閲覧許可または不許可が設定された前記通信相手先のデータをサーバ装置へ送信可能であるものもある（例えば、特許文献３参照）。
【０００６】
しかしながら、上記特許文献３では、使用者のプロファイルデータの閲覧許可または不許可を通信相手先のデータ毎に設定するが、前述のようにメールに添付した画像に対して悪意の第３者が内容を改ざんし、メールを展開することで誤情報が流れることを防止するものではない。
また、従来、ユーザ端末に負担を掛けずに、サーバが、ユーザ端末でのコンテンツの利用を確実且つ簡単に制御するコンテンツ利用管理システム等を提供するため、コンテンツ利用管理システムのサーバは、ユーザ端末を使用するユーザが所有するコンテンツの利用権限に関する権利情報を記憶するユーザ権利情報ＤＢと、ユーザからの要求に基づいて、当該ユーザが所有する利用権限の一部を示す権利情報であるＬＴを生成し、ユーザ端末に送信するコンテンツ情報生成部とを備え、ユーザ端末は、サーバから送信されてきたＬＴを受信する通信部と、受信されたＬＴが示す利用権限に従って、コンテンツの利用を制御するライセンス情報処理部を備えるものもある（例えば、特許文献４参照）。
【０００７】
しかしながら、上記特許文献４では、受信された利用権限に従って、コンテンツの利用を制御するが、前述のようにメールに添付した画像に対して悪意の第３者が内容を改ざんし、メールを展開することで誤情報が流れることを防止するものではない。
【０００８】
【特許文献１】特開２００４−３１８２９２号公報
【特許文献２】特開２００４−３１８５８３号公報
【特許文献３】特開２００４−２８２４０５号公報
【特許文献４】特開２００２−３４２５１８号公報
【発明の開示】
【発明が解決しようとする課題】
【０００９】
したがって、本発明は上記問題点に鑑みて、メールに添付した画像に対して悪意の第３者が内容を改ざんし、メールを展開することで誤情報が流れることを防止するメール添付画像セキュリティーシステム、方法、プログラム、端末及びメールサーバーを提供することを目的とする。
【課題を解決するための手段】
【００１０】
本発明は前記問題点を解決するために、メールに添付して送信した画像の展開を制限するメール添付画像セキュリティーシステムにおいて、送信元の端末からメールに画像を添付して送信する場合に画像にセキュリティーを設定する画像セキュリティー設定部と、前記送信元の端末からメールサーバーでメールを受信した場合に前記画像セキュリティー設定部で設定された画像に対するセキュリティーを保存する画像セキュリティー保存部と、前記画像セキュリティー保存部にセキュリティーが保存されているメールに対して送信先の端末に画像を送信すると判断し、前記画像セキュリティー保存部にセキュリティーが保存されていないメールに対して送信先の端末に画像を送信しないと判断し、画像を送信すると判断した場合には送信する画像と共にセキュリティーを前記メールサーバーから送信先の端末に送信させるための画像情報送信判断部と、送信先の端末では前記メールサーバーから送信された画像に対するセキュリティーに応じて画像の展開の許可を行う画像展開許可部とを備えることを特徴とするメール添付画像セキュリティーシステムを提供する。
【００１１】
さらに、前記画像セキュリティー設定部は、セキュリティーとして画像を閲覧する閲覧権、画像を保存する保存権、画像を他の端末に転送する転送権、画像を編集する編集権を設定する。
さらに、前記画像セキュリティー設定部は、セキュリティーとして閲覧権、保存権、転送権、編集権を独立に設定し、さらに、閲覧権、保存権；閲覧権、転送権；閲覧権、編集権；保存権、転送権；保存権、編集権；転送権、編集権；閲覧権、保存権、転送権；閲覧権、転送権、編集権；閲覧権、保存権、編集権；保存権、転送権、編集権のように組み合わせて設定する。
【００１２】
さらに、前記画像情報送信判断部は、前記画像セキュリティー保存部にセキュリティーが保存されていないメールに対して送信先の端末に画像を送信しないと判断した場合には、送信元の端末に画像情報送信不可通知を送信する。
さらに、前記画像情報送信判断部は、送信元の端末に画像情報送信不可通知の送信時にセキュリティーの設定を行うようにメッセージを送信する。
【００１３】
さらに、前記画像セキュリティー設定部は、前記画像の他にメールの本文に対してもセキュリティーを設定する。
さらに、本発明は、メールに添付して送信した画像の展開を制限するメール添付画像セキュリティー方法において、送信元の端末からメールに画像を添付して送信する場合に画像にセキュリティーを設定する工程と、前記送信元の端末からメールサーバーでメールを受信した場合に設定された画像に対するセキュリティーを保存する工程と、セキュリティーが保存されているメールに対して送信先の端末に画像を送信すると判断し、セキュリティーが保存されていないメールに対して送信先の端末に画像を送信しないと判断する工程と、画像を送信すると判断した場合には送信する画像と共にセキュリティーを前記メールサーバーから送信先の端末に送信する工程と、送信先の端末では前記メールサーバーから送信された画像に対するセキュリティーに応じて画像の展開の許可を行う工程とを備えることを特徴とするメール添付画像セキュリティー方法を提供する。
【００１４】
さらに、本発明は、メールに添付して送信した画像の展開を制限するメール添付画像セキュリティーをコンピュータで実行するプログラムにおいて、送信元の端末からメールに画像を添付して送信する場合に画像にセキュリティーを設定する手順と、前記送信元の端末からメールサーバーでメールを受信した場合に設定された画像に対するセキュリティーを保存する手順と、セキュリティーが保存されているメールに対して送信先の端末に画像を送信すると判断し、セキュリティーが保存されていないメールに対して送信先の端末に画像を送信しないと判断する手順と、画像を送信すると判断した場合には送信する画像と共にセキュリティーを前記メールサーバーから送信先の端末に送信する手順と、送信先の端末では前記メールサーバーから送信された画像に対するセキュリティーに応じて画像の展開の許可を行う手順とを備えることを特徴とするメール添付画像セキュリティーをコンピュータで実行するプログラムを提供する。
【００１５】
さらに、本発明は、メールに添付して送信した画像の展開を制限する端末において、送信元の端末からメールに画像を添付して送信する場合に画像にセキュリティーを設定する画像セキュリティー設定部と、送信先の端末からメールサーバーでメールを受信した場合に送信先の端末の前記画像セキュリティー設定部で設定された画像に対するセキュリティーを保存し、セキュリティーが保存されているメールに対して送信先の端末に画像を送信すると判断し、セキュリティーが保存されていないメールに対して送信先の端末に画像を送信しないと判断し、画像を送信すると判断した場合には送信する画像と共にセキュリティーを前記メールサーバーから送信先の端末に送信した場合、送信先の端末では前記メールサーバーから送信された画像に対するセキュリティーに応じて画像の展開の許可を行う画像展開許可部とを備えることを特徴とする端末を提供する。
【００１６】
さらに、本発明は、メールに添付して送信した画像の展開を制限するメールサーバーにおいて、送信元の端末から画像を添付したメールと共に画像に設定されたセキュリティーを受信した場合に画像を添付したメールと共に画像に設定されたセキュリティーを保存する画像セキュリティー保存部と、前記画像セキュリティー保存部にセキュリティーが保存されているメールに対して送信先の端末に画像を送信すると判断し、前記画像セキュリティー保存部にセキュリティーが保存されていないメールに対して送信先の端末に画像を送信しないと判断し、画像を送信すると判断した場合には送信する画像と共にセキュリティーを送信先の端末に送信させ、送信先の端末では送信された画像に対するセキュリティーに応じて画像の展開の許可を行わせる画像情報送信判断部とを備えることを特徴とするメールサーバーを提供する。
【発明の効果】
【００１７】
以上説明したように、本発明によれば、送信元の端末からメールに画像を添付して送信する場合に画像にセキュリティーを設定し、送信元の端末からメールサーバーでメールを受信した場合に設定された画像に対するセキュリティーを保存し、セキュリティーが保存されているメールに対して送信先の端末に画像を送信すると判断し、セキュリティーが保存されていないメールに対して送信先の端末に画像を送信しないと判断し、画像を送信すると判断した場合には送信する画像と共にセキュリティーをメールサーバーから送信先の端末に送信し、送信先の端末ではメールサーバーから送信された画像に対するセキュリティーに応じて画像の展開の許可を行うようにしたので、発信者が受信者に対して画像に対するセキュリティーに応じて画像の自由な展開を制限するようにしたので、悪意のある第３者が内容を改ざんし、メールを展開することで誤情報が流れることを防止することが可能になった。さらに、発信者が受信者に対して画像に対するセキュリティーを設定しない場合には受信者に画像の送付が不可となり、画像の展開が不可となる。
【発明を実施するための最良の形態】
【００１８】
以下、本発明の実施の形態について図面を参照して説明する。
図１は本発明に係るメール添付画像セキュリティーシステムの概略を示す構成図である。本図に示すように、メール添付画像セキュリティーシステム１００はメールサーバー１０１と複数の携帯端末１０２−１、１０２−２、１０２−３、１０２−４、…からなり、コンピュータで実行されるプログラムで制御される。
【００１９】
メールサーバー１０１は複数の携帯端末１０２−１、１０２−２、１０２−３、１０２−４、…のメールの配送を行い、複数の携帯端末１０２−１、１０２−２、１０２−３、１０２−４、…の各々は、メールに添付される画像の閲覧、保存、転送、編集の機能を有する。
以下のように、一例として、発信者Ａ１の携帯端末１０２−１、発信者Ａｎ１の携帯端末１０２−２…、から受信者Ｂ１の携帯端末１０２−３、受信者Ｂｎ１の携帯端末１０４、…に対してメールがそれぞれ送信されるとする。
【００２０】
一例として、携帯端末１０２−１、１０２−３、１０２−４…の各々には画像セキュリティー設定部２０１、画像展開許可部２０２が設けられ、携帯端末１０２−２には画像セキュリティー設定部２０１、画像展開許可部２０２が設けられていないとする。
画像セキュリティー設定部２０１は発信者Ａ１の携帯端末１０２−１のメール送信時に添付する画像のセキュリティーの設定を行う機能を有する。
【００２１】
画像展開許可部２０２は受信者Ｂ１の携帯端末１０２−３のメール受信時に添付された画像の展開に対してセキュリティーの設定に応じて許可を行う機能を有する。
メールサーバー１０１には画像セキュリティー保存部３０１、画像情報送信判断部３０２が設けられる。
画像セキュリティー保存部３０１は発信者Ａ１の携帯端末１０２−１から受信したメールに添付された画像等に対応して画像に設定されたセキュリティーを保存する。
【００２２】
画像情報送信判断部３０２は、画像セキュリティー保存部３０１に保存されているセキュリティーに対するメールに対しては画像を送信すると判断し、画像セキュリティー保存部３０１にセキュリティーが保存されていないメールに対しては画像を送信しないと判断する。
なお、メールサーバー１０１は、画像情報送信判断部３０２で画像を送信すると判断した場合には、受信者Ｂ１の携帯端末１０２−３に対して画像と共にセキュリティーを送信する。
【００２３】
図２は図１における携帯端末１０２−１、１０２−３、１０２−４、…の画像セキュリティー設定部２０１、画像展開許可部２０２の概略構成を示すブロック図である。
本図（ａ）に示すように、画像セキュリティー設定部２０１は画像閲覧権設定部２０１Ａ、画像保存権設定部２０１Ｂ、画像転送権設定部２０１Ｃ、画像編集権設定部２０１Ｄを有する。
【００２４】
画像閲覧権設定部２０１Ａは、発信者Ａ１の携帯端末１０２−１で撮像され、取得された画像に対して選択された画像をメールに添付する場合に、受信者Ｂ１の携帯端末１０２−３に送付されるメールに添付した画像に対して閲覧だけを認める画像閲覧権を設定する機能を有する。
画像保存権設定部２０１Ｂは、発信者Ａ１の携帯端末１０２−１で撮像され、取得された画像に対して選択された画像をメールに添付する場合に、受信者Ｂ１の携帯端末１０２−３に送付されるメールに添付した画像に対して保存だけを認める画像保存権を設定する機能を有する。
【００２５】
画像転送権設定部２０１Ｃは、発信者Ａ１の携帯端末１０２−１で撮像され、取得された画像に対して選択された画像をメールに添付する場合に、受信者Ｂ１の携帯端末１０２−３に送付されるメールに添付した画像に対して他の端末に転送だけを認める画像転送権を設定する機能を有する。
画像編集権設定部２０１Ｄは、発信者Ａ１の携帯端末１０２−１で撮像され、取得された画像に対して選択された画像をメールに添付する場合に、受信者Ｂ１の携帯端末１０２−３に送付されるメールに添付した画像に対して編集だけを認める画像編集権を設定する機能を有する。
【００２６】
本図（ｂ）に示すように、画像展開許可部２０２は画像閲覧許可部２０２Ａ、画像保存許可部２０２Ｂ、画像転送許可部２０２Ｃ、画像編集許可部２０２Ｄを有する。
画像閲覧許可部２０２Ａは、受信者Ｂ１の携帯端末１０２−３で画像が添付されたメールを受信した場合に、画像に閲覧権が設定されている場合には、画像の閲覧だけを許可し、他の画像の保存、転送、編集に対する展開に対して制限を行う機能を有する。
【００２７】
画像保存許可部２０２Ｂは、受信者Ｂ１の携帯端末１０２−３で画像が添付されたメールを受信した場合に、画像に保存権が設定されている場合には、画像の保存だけを許可し、他の閲覧、転送、閲覧に対する展開に対して制限を行う機能を有する。
画像転送許可部２０２Ｃは、受信者Ｂ１の携帯端末１０２−３で画像が添付されたメールを受信した場合に、画像に転送権が設定されている場合には、画像の転送だけを許可し、他の閲覧、保存、編集に対する展開に対して制限を行う機能を有する。
【００２８】
画像編集許可部２０２Ｄは、受信者Ｂ１の携帯端末１０２−３で画像が添付されたメールを受信した場合に、画像に編集権が設定されている場合には、画像の編集だけを許可し、他の閲覧、保存、編集に対する展開に対して制限を行う機能を有する。
図３は図１におけるメールサーバー１０１の画像セキュリティー保存部３０１に保存される概略内容例を示す図である。
【００２９】
本図に示すように、メールサーバー１０１の画像セキュリティー保存部３０１では、配送すべきメールの送信者、受信者、本文、添付画像に対応してセキュリティーが保存され、添付される画像にセキュリティーが設定されている場合には、閲覧権、保存権、転送権、編集権の種別が保存され、セキュリティーが設定されていない場合にはセキュリティー無し情報が保存される。
【００３０】
図４は図１におけるメール添付画像セキュリティーシステムの動作例を説明するフローチャートである。
本図に示すように、ステップＳ３２１において、発信者Ａ１の携帯端末１０２−１ではメールに添付して送信すべき画像の選択と、選択される画像のセキュリティーの設定が行われる。
【００３１】
ステップＳ３２２において、発信者Ａ１の携帯端末１０２−１から、選択された画像にセキュリティーが設定された後、画像がメールに添付され、メールの送信が行われる。
ステップＳ３２３において、発信者Ａ１の携帯端末１０２−１では画像情報送信通知を受信し、処理を終了する。
ステップＳ３２４において、発信者Ａｎ１の携帯端末１０２−２ではメールに添付して送信すべき画像の選択が行われる。
【００３２】
ステップＳ３２５において、発信者Ａｎ１の携帯端末１０２−２から、選択された画像がメールに添付され、メールの送信が行われる。
ステップＳ３２６において、発信者Ａｎ１の携帯端末１０２−２では画像情報送信付加通知を受信し、処理を終了する。
ステップＳ３２７において、メールサーバー１０１の画像セキュリティー保存部３０１では、発信者Ａ１の携帯端末１０２−１、発信者Ａｎ１の携帯端末１０２−２、…からのメールに対して、送信画像のセキュリティー設定を確認する。
【００３３】
ステップＳ３２８において、送信画像にセキュリティーが設定されている場合には、画像セキュリティー保存部３０１にセキュリティー情報の保存を行う。
ステップＳ３２９において、受信者Ｂ１の携帯端末１０２−３にメール通知を行う。
ステップＳ３３０において、送信画像にセキュリティーが設定されていない場合には受信者Ｂｎ１の携帯端末１０２−４にメール通知を行う。
【００３４】
ステップＳ３３１において、メールサーバー１０１では、受信者Ｂ１の携帯端末１０２−３、受信者Ｂｎ１の携帯端末１０２−４、…から画像表示要求を受信する。
ステップＳ３３２において、メールサーバー１０１の画像情報送信判断部３０２では、画像表示要求に対して、画像セキュリティー保存部３０１に保存されているセキュリティー情報に基づいて、画像情報の送信の可否を判断する。
【００３５】
ステップＳ３３３において、画像セキュリティー保存部３０１にセキュリティーが保存されている発信者の携帯端末１０２−１に対して画像情報を送信可との判断をした場合には、受信者Ｂ１の携帯端末１０２−３に対してメールと共に画像情報を送信する。
ステップＳ３３４において、発信者Ａ１の携帯端末１０２−１に対して画像情報を送信した旨の通知を行い、処理を終了する。
【００３６】
ステップＳ３３５において、画像セキュリティー保存部３０１にセキュリティーが保存されていない発信者Ａｎ１の携帯端末１０２−２に対して画像情報を送信不可と判断をした場合には、受信者Ｂｎ１の携帯端末１０２−４に対してメールと共に画像情報を送信せずに、画像情報送信不可の通知を行い、発信者Ａｎ１の携帯端末１０２−２に対しても画像情報送信不可の通知を行い、処理を終了する。
【００３７】
ステップＳ３３６において、受信者Ｂ１の携帯端末１０２−３では、メールサーバー１０１からメール通知を受信する。
ステップＳ３３７において、受信者Ｂ１の携帯端末１０２−３からメールサーバー１０１に対して画像表示要求を行う。
ステップＳ３３８において、受信者Ｂｎ１の携帯端末１０２−３では、メールサーバー１０１からメールと共に画像を受信する。
【００３８】
ステップＳ３３９において、受信者Ｂ１の携帯端末１０２−３では、セキュリティーに応じた画像の展開を可能とし閲覧、保存、転送、編集に対して制限が行われ、処理を終了する。
ステップＳ３４０において、受信者Ｂｎ１の携帯端末１０２−４では、メールサーバー１０１からメール通知を受信する。
【００３９】
ステップＳ３４１において、受信者Ｂｎ１の携帯端末１０２−４からメールサーバー１０１に対して画像表示要求を行う。
ステップＳ３４２において、受信者Ｂｎ１の携帯端末１０２−４では、メールサーバー１０１からメールと共に画像情報送信不可の通知を受信し画像の受信が不可となるので、発信者Ａｎ１の携帯端末１０２−２によりセキュリティーが設定されていない画像に対して閲覧、保存、転送、編集の展開が不可能になる。処理を終了する。
【００４０】
図５は、図２における画像セキュリティー設定部２０１の動作として、図４におけるステップＳ３２１のセキュリティー設定例を説明するフローチャートである。
本図に示すように、ステップＳ３０１において、携帯端末１０２−１の画像セキュリティー設定部２０１では、画像閲覧権設定部２０１Ａにより閲覧権が設定されたか否かを判断する。
【００４１】
ステップＳ３０２において、画像閲覧権設定部２０１Ａにより閲覧権が設定された場合には、添付する画像に閲覧権を設定し、処理を終了する。
ステップＳ３０３において、閲覧権が設定されない場合、画像セキュリティー設定部２０１では、画像保存権設定部２０１Ｂにより保存権が設定された否かを判断する。
ステップＳ３０４において、画像保存権設定部２０１Ｂにより保存権が設定された場合には、添付する画像に保存権を設定し、処理を終了する。
【００４２】
ステップＳ３０５において、保存権が設定されない場合、画像セキュリティー設定部２０１では、画像転送権設定部２０１Ｃにより転送権が設定された否かを判断する。
ステップＳ３０６において、画像転送権設定部２０１Ｃにより転送権が設定された場合には、添付する画像に転送権を設定し、処理を終了する。
ステップＳ３０７において、転送権が設定されない場合、画像編集権設定部２０１Ｄにより編集権が設定される。
【００４３】
ステップＳ３０８において、添付する画像に編集権を設定し、処理を終了する。
図６は図２における画像展開許可部２０２の動作例として、図４におけるステップＳ３３９のセキュリティーに応じた画像の展開例を説明するフローチャートである。
本図に示すように、ステップＳ３１１において、携帯端末１０２−３の画像展開許可部２０２では、画像閲覧許可部２０２Ａにより受信した画像に閲覧権が設定されたか否かを判断する。
【００４４】
ステップＳ３１２において、画像閲覧許可部２０２Ａにより閲覧権が設定されていると判断された場合には、画像の閲覧表示を許可し、画像の閲覧表示の展開を可能とし、処理を終了する。
ステップＳ３１３において、閲覧権が設定されていない場合、画像展開許可部２０２では、画像保存許可部２０２Ｂにより受信した画像に保存権が設定されたか否かを判断する。
【００４５】
ステップＳ３１４において、画像閲覧許可部２０２Ａにより保存権が設定されていると判断された場合には、画像の保存を許可し画像の保存の展開を可能とし、処理を終了する。
ステップＳ３１５において、保存権が設定されていない場合、画像展開許可部２０２では、画像保存許可部２０２Ｂにより受信した画像に転送権が設定されたか否かを判断する。
【００４６】
ステップＳ３１６において、画像閲覧許可部２０２Ａにより転送権が設定されていると判断された場合には、画像の転送を許可し、画像の転送の展開を可能とし、処理を終了する。
ステップＳ３１７において、転送権が設定されない場合、画像展開許可部２０２では受信した画像に編集権が設定されていると判断する。
【００４７】
ステップＳ３１８において、画像保存許可部２０２Ｂにより画像の編集を許可し、画像の編集の展開を可能とし、処理を終了する。
したがって、本発明によれば、画像情報が添付されたメールにおいて、発信者が受信者に対して画像に対するセキュリティーとして閲覧権、保存権、転送権、編集権を付与して、画像の自由な展開を制限するようにし、すなわち、発信者が受信者に対してセキュリティーとして閲覧権、保存権、転送権、編集権を付与していない場合には画像の自由な展開を行えないようにしたので、悪意のある第３者が内容を改ざんし、メールを展開することで誤情報が流れることを防止することが可能になった。
発信者が受信者に対して画像に対するセキュリティーを設定しない場合には受信者に画像の送付が不可となり、画像の展開が不可となる。
発信者が受信者に対して画像に対するセキュリティーを設定しない場合には受信者に画像の送付が不可となり、画像の展開が不可となる。発信者が受信者に対して画像に対するセキュリティーを設定しない場合には受信者に画像の送付が不可となり、画像の展開が不可となる。
【実施例１】
【００４８】
以上の説明では、セキュリティーとして、閲覧権、保存権、転送権、編集権を独立して設定したが、以下のように、組み合わせて設定してもよい。これにより、受信側で制限される画像の展開の自由度を調整することが可能になる。
図７、図８は図５の変形例であり、図２における画像セキュリティー設定部２０１の動作として、図４におけるステップＳ３２１のセキュリティー設定例を説明するフローチャートである。
【００４９】
本図に示すように、図５と比較して、ステップＳ３６３の閲覧権の設定、ステップＳ３７４の保存権の設定、ステップＳ３７８の転送権の設定、ステップＳ３７９の編集権の設定は単独の設定で前述と同様である。
これに対して、ステップＳ３６６は閲覧権、保存権の設定であり、ステップＳ３６０は閲覧権、転送権の設定であり、ステップＳ３６２は閲覧権、編集権の設定であり、ステップＳ３７１は保存権、転送権の設定であり、ステップＳ３７３は保存権、編集権の設定であり、ステップＳ３７７は転送権、編集権の設定である。
【００５０】
さらに、ステップＳ３６５は閲覧権、保存権、編集権の設定であり、ステップＳ３５９は閲覧権、転送権、編集権の設定であり、ステップＳ３５６は閲覧権、保存権、転送権の設定であり、ステップＳ３７０は保存権、転送権、編集権の設定である。
さらに、ステップＳ３５５は閲覧権、保存権、転送権、編集権の設定である。
なお、図２における画像展開許可部２０２については、その動作例は、図７と同様であるので、説明を省略する。
【００５１】
図９は図３の変形例であり、図１におけるメールサーバー１０１の画像セキュリティー保存部３０１に保存される概略内容例を示す図である。
本図に示すように、図３と比較して、メールサーバー１０１の画像セキュリティー保存部３０１では、セキュリティーとして、単独の閲覧権、保存権、転送権、編集権以外に、閲覧権、保存権；閲覧権、転送権；閲覧権、編集権；保存権、転送権；保存権、編集権；転送権、編集権；閲覧権、保存権、転送権；閲覧権、転送権、編集権；閲覧権、保存権、編集権；保存権、転送権、編集権；閲覧権、保存権、転送権、編集権が保存される。
【実施例２】
【００５２】
図４のステップＳ３３５において、画像セキュリティー保存部３０１にセキュリティーが保存されていない発信者Ａｎ１の携帯端末１０２−２に対して画像情報を送信不可と判断をした場合には、発信者Ａｎ１の携帯端末１０２−２に対して画像情報送信不可の通知を行うが、単にセキュリティー設定を失念しただけの場合には、発信者Ａｎ１の携帯端末１０２−２に対して、セキュリティーの設定を行うようにメッセージを送信してもよい。
【００５３】
なお、発信者Ａｎ１の携帯端末１０２−２が本発明の機能を有していない場合に対して、メールサーバー１０１にはセキュリティーを設定するプログラムを保存しておき、メールサーバー１０１から発信者Ａｎ１の携帯端末１０２−２に本発明のプログラムがダウンロード可能になるようにしてもよい。
【実施例３】
【００５４】
以上の説明では、メールに添付される画像に対してセキュリティーを設定したが、画像に限らず、添付されるデータ一般に対しても同様にセキュリティーを設定することが可能である。
さらに、メールの本文に対しても同様にセキュリティーを設定することが可能である。
【産業上の利用可能性】
【００５５】
以上の説明では、携帯端末間のメールの添付画像についてセキュリティーを設定したが、携帯電話のメール、さらには、ＰＨＳ（簡易型携帯電話機）、ＰＤＡ（携帯情報端末）、パーソナルコンピュータ（ＰＣ）の端末のＷｅｂメールに対しても本発明の利用が可能である。
【図面の簡単な説明】
【００５６】
【図１】本発明に係るメール添付画像セキュリティーシステムの概略を示す構成図である。
【図２】図１における携帯端末１０２−１、１０２−３、１０２−４、…の画像セキュリティー設定部２０１、画像展開許可部２０２の概略構成を示すブロック図である。
【図３】図１におけるメールサーバー１０１の画像セキュリティー保存部３０１に保存される概略内容例を示す図である。
【図４】図１におけるメール添付画像セキュリティーシステムの動作例を説明するフローチャートである。
【図５】図２における画像セキュリティー設定部２０１の動作として、図４におけるステップＳ３２１のセキュリティー設定例を説明するフローチャートである。
【図６】図２における画像展開許可部２０２の動作例として、図４におけるステップＳ３３９のセキュリティーに応じた画像の展開例を説明するフローチャートである。
【図７】図５の変形例であり、図２における画像セキュリティー設定部２０１の動作として、図４におけるステップＳ３２１のセキュリティー設定例を説明するフローチャートである。
【図８】図５の変形例であり、図２における画像セキュリティー設定部２０１の動作として、図４におけるステップＳ３２１のセキュリティー設定例を説明するフローチャートである。
【図９】図３の変形例であり、図１におけるメールサーバー１０１の画像セキュリティー保存部３０１に保存される概略内容例を示す図である。
【符号の説明】
【００５７】
１００…メール添付画像セキュリティーシステム
１０１…メールサーバー１０１
１０２−１、１０２−２、１０２−３、１０２−４…携帯端末
２０１…画像セキュリティー設定部
２０１Ａ…画像閲覧権設定部
２０１Ｂ…画像保存権設定部
２０１Ｃ…画像転送権設定部
２０１Ｄ…画像編集権設定部
２０２…画像展開許可部
２０２Ａ…画像閲覧許可部
２０２Ｂ…画像保存許可部
２０２Ｃ…画像転送許可部
２０２Ｄ…画像編集許可部
３０１…画像セキュリティー保存部
３０２…画像情報送信判断部
【図１】
2007272483.tif 000003
【図２】
2007272483.tif 000004
【図３】
2007272483.tif 000005
【図４】
2007272483.tif 000006
【図５】
2007272483.tif 000007
【図６】
2007272483.tif 000008
【図７】
2007272483.tif 000009
【図８】
2007272483.tif 000010
【図９】
2007272483.tif 000011